(57)【要約】【課題】建造物を増築した増築屋根の下方の室空間を大きくすること。【解決手段】所定の勾配の付いた既存屋根２を有する建造物１を前記既存屋根２の軒先方向へ増築する増築工法において、前記建造物１の既存屋根２の軒先部分を切断した切断箇所に前記既存屋根１の勾配よりも緩やかな勾配の付いた増築屋根３の一端側を連結し、その他端側の下方を新たに構築した構造部材５で支持して、既存屋根面から増築屋根面への連続流水を可能とすると共に前記増築屋根３の下に新たな室空間６を形成するように前記建造物１を増築すること。【選択図】      図１  
2005146797.tif 000002
【特許請求の範囲】
【請求項１】
所定の勾配の付いた既存屋根を有する建造物を前記既存屋根の軒先方向へ増築する増築工法において、
前記建造物の既存屋根の軒先部分を切断した切断箇所に前記既存屋根の勾配よりも緩やかな勾配の付いた増築屋根の一端側を連結し、その他端側の下方を新たに構築した構造部材で支持して、既存屋根面から増築屋根面への連続流水を可能とすると共に前記増築屋根の下に新たな室空間を形成するように前記建造物を増築することを特徴とする増築工法。
【発明の詳細な説明】
【技術分野】
【０００１】
この発明は、建造物の既存屋根の軒先方向へ増築する増築工法に関し、とくに、増築屋根の勾配を既存屋根の勾配より緩くした増築工法に関する。
【背景技術】
【０００２】
従来、図１の左半分に示す建造物１を既存屋根２の軒先方向へ増築する場合には、既存屋根２の屋根勾配と同じ勾配、例えば５／１０、で軒先方向へ延長して増築屋根３を形成すると共に、その延長方向の先端部分を新たに構築した軸組等の構造部材５で支持してなるものである。軒先方向へ延長して形成した増築屋根３の下方には新たな室空間６が形成される。このような増築工法では、まず、既存屋根２を構成する既存葺き下ろし梁７の軒先部分を切断して、その切断した既存葺き下ろし梁７の端部７ａに増築葺き下ろし梁１０を同じ勾配となるように溶接などによって連結し、この増築葺き下ろし梁１０の先端側の軒先部分となる長さ分だけ残した位置の下方を、新たに構築した構造部材である軸組５で支持して、その下方に新たな室空間６を形成している。増築葺き下ろし梁１０の上方には野地板やルーフィング、カラーベスト等からなる増築屋根葺材１５を敷設して増築屋根３を構成し、既存屋根２から流れ落ちる雨水などがこの増築屋根３へと流れ落ちるように接続されている。
【発明の開示】
【発明が解決しようとする課題】
【０００３】
前記従来技術によると、既存屋根２を構成する既存葺き下ろし梁７の軒先部分を切断して、その切断した既存葺き下ろし梁７の端部７ａに、増築屋根３の増築葺き下ろし梁１０を既存葺き下ろし梁７同じ勾配となるように連結して形成するので、増築屋根３の軒先部分に近づく程天井高さが同じ割合で低くなり、増築屋根３の下に形成される室空間６が小さくなるという問題点がある。特に、既存屋根２の勾配が急である場合には、新たに構築した軸組等の構造部材５近辺の天井は極端に低くなり、室空間６が一層狭くなるという問題点がある。
【課題を解決するための手段】
【０００４】
この発明は上記課題を解決するためになされたものであって、その手段は、所定の勾配の付いた既存屋根を有する建造物を前記既存屋根の軒先方向へ増築する増築工法において、前記建造物の既存屋根の軒先部分を切断した切断箇所に前記既存屋根の勾配よりも緩やかな勾配の付いた増築屋根の一端側を連結し、その他端側の下方を新たに構築した構造部材で支持して、既存屋根から増築屋根への連続流水を可能とすると共に前記増築屋根の下に新たな室空間を形成するように前記建造物を増築することとする増築工法としたことである。
【発明の効果】
【０００５】
この発明によると、増築した建造物の増築屋根の勾配が、既存屋根の所定の勾配よりも緩やかであるので、その緩やかな分だけ増築部分の室の天井高さを高く形成することができる。その結果、室空間を大きくすることができる利点がある。
【発明を実施するための最良の形態】
【０００６】
この発明の実施の形態について以下図に基づいて説明する。この発明は、図１の右側半分に示すように、建造物１を既存屋根２の軒先方向へ増築する場合に、既存屋根２の軒先部分を切断して、この既存屋根２の勾配、例えば５／１０、よりも緩やかな勾配、例えば２．５／１０、を有する増築屋根３を連結して増築したものである。この増築屋根３の棟側の一端側は、前記既存屋根２の軒先部分を切断除去することにより露出した既存屋根２の端部２ａと連結されており、その他端側の先端部分の下方を新たに構築した軸組等からなる構造部材５で支持している。そして、前記増築屋根３の下に新たな室空間６を形成している。
【０００７】
前記建造物１は、所定の勾配を有する既存屋根２を備えていればよく、木造、鉄骨、鉄筋などその造りには限定されるものではない。既存屋根２は、図２、図３においては、所定の勾配の付いた既存葺き下ろし梁７を有する複数の屋根トラス８の当該既存葺き下ろし梁７上に跨って野地板やルーフィング、そしてカラーベストや瓦などからなる既存屋根葺材９が敷かれて構成されている。既存葺き下ろし梁７の下方は、受梁４によって支持されている。この受梁４は建造物１の図外の軸組等に固定された構造部材であり、既存のものでも新設されたものでもよい。
【０００８】
そして、既存屋根３のこの受梁４よりも軒先側の軒先部分の野地板、既存屋根葺材９や既存葺き下ろし梁７は、あらかじめ切断して除去されており、図２においては、その切断された既存葺き下ろし梁７の切断端部７ａが露出している。
【０００９】
前記増築屋根３を構成する増築葺き下ろし梁１０の棟側の一端側は、前記切断端部７ａと取付金具１１を介して連結されている。この取付金具１１は、図２に良く表れているように、屋根トラス８を構成する小梁８ａの先端の側面に固定される固定片１２ａと、この固定片１２ａの上方で既存葺き下ろし梁７の傾斜上面に沿った傾斜角度で折り曲った取付片１２ｂを有する２つの取付挟持片１２と、この取付挟持片１２の取付片１２ｂに固定される２つの取付片１３ａを有する梁固定具１３とからなる。この梁固定金具１３は増築葺き下ろし梁１０の棟側の一端側を既存葺き下ろし梁７の勾配よりも緩やかな勾配となるように固定している。これらは、図３に示すように、屋根トラス８の先端に位置する小梁８ａの両側にまず取付片１２ａを当ててボルトでもって取付挟持片１２が固定され、次に、その２つの取付片１２ａに梁固定具１３の取付片１３ｂを当接してボルトによって固定する。
【００１０】
このようにして、既存屋根２の軒先部分を切断した切断箇所である複数個の既存葺き下ろし梁７の切断端部７ａに増築屋根３を構成する複数個の増築葺き下ろし梁１０の一端側がそれぞれ連結される。そして、この連結された複数個のそれぞれの増築葺き下ろし梁１０の他端側である軒先部分の下方は、新たに構築した軸組等の構造部材５で増築葺き下ろし梁１０の勾配が既存葺き下ろし梁７の勾配よりも緩やかになるように支持される。又、このように設置された複数個の増築葺き下ろし梁１０の上方には、野地板やルーフィング、カラーベストや瓦などからなる増設屋根葺材１４が敷設される。
【００１１】
なお、既存屋根葺材９と増設屋根葺材１０の境界からの水漏れを防止するために図外の水切り材が手当てされており、これによって既存屋根２から増築屋根３へと雨水が連続して流水できるようになっている。このようにして増築された構造物の概略外観は、図４に示すようなものとなる。
【００１２】
以上のようなこの発明の増築工法によると、図１に示すように、増築屋根３の勾配が既存屋根２の勾配よりも緩やかであるために、建造物１の中心から新たに構築した軸組等の構造部材５までの距離Ｌが同じ場合には、新たに構築した軸組等の構造部材５近辺の最も天井高さが低い位置でも、従来の同じ位置における天井高さに較べて高いために、増築屋根３の下方における室空間６において、図１に示すＸ距離分だけ高くなりその分だけ室空間６を有効に活用できる。
【産業上の利用可能性】
【００１３】
この発明は、木造、鉄筋、鉄骨などの建造物の種類に関係なく、所定角度で傾斜した勾配を有する既存屋根全てに適用することができる。
【図面の簡単な説明】
【００１４】
【図１】本発明と従来技術の両方を対比的に示す建造物の中央部分省略横断面説明図
【図２】建造物の既存屋根の軒先部分を切断した部分に増築葺き下ろし梁を連結する前の一部省略した斜視説明図
【図３】図２の状態から連結した後の斜視説明図
【図４】この発明による増築工法によって増築した建造物の概略斜視図。
【符号の説明】
【００１５】
１  建造物
２  既存屋根
２ａ  軒先部分
３  増築屋根
４  受梁（構造部材）
５  軸組（構造部材）
６  室空間
７  既存葺き下ろし梁
７ａ  既存葺き下ろし梁の端部
９  既存屋根葺材
１０  増築葺き下ろし梁
１２  増築屋根葺材
【図１】
2005146797.tif 000003
【図２】
2005146797.tif 000004
【図３】
2005146797.tif 000005
【図４】
2005146797.tif 000006